(57)【要約】【課題】居室外において映像信号等の信号レベルを検出する。【解決手段】本発明の集合住宅インターホンシステムは、居室に設置され居住者が集合玄関機からの呼出に応じて訪問者の映像信号を出画確認して通話をする複数の居室親機２、２、・・・と、呼出、通話のデータ信号、通話信号および／または映像信号を変調して伝送するにあたり集合玄関機および複数の居室親機を制御する制御装置４とを備えている。  居室親機は、映像信号レベルを検出するレベル検出回路２５と、検出した映像信号レベルを伝送路に対して居室番号ＩＤを付して制御装置へ送信するＣＰＵ２４とを備えている。【選択図】図２
2006279789.tif 000002
【特許請求の範囲】
【請求項１】
集合住宅の玄関に設置され訪問者が居住者を呼び出し、訪問者を撮像して映像信号を出力する集合玄関機（１）と、居室に設置され、前記集合玄関機に伝送路（Ｌ１、Ｌ２）を経由して接続され、居住者が前記集合玄関機からの呼出に応じて訪問者の映像信号を出画確認して通話をする複数の居室親機（２、２、・・・）と、呼出、通話のデータ信号、通話信号および／または映像信号を変調して伝送するにあたり前記集合玄関機および複数の居室親機を制御する制御装置（４）とを備え、
前記居室親機は、映像信号レベルを検出するレベル検出回路（２５）と、検出した前記映像信号レベルを前記伝送路に対して居室番号ＩＤを付して前記制御装置へ送信するＣＰＵ（２４）とを備えたことを特徴とする集合住宅インターホンシステム。
【請求項２】
各居室から送信され前記制御装置で受信された映像信号レベルを集計するレベル集計装置（５）を備えたことを特徴とする請求項１記載の集合住宅インターホンシステム。
【請求項３】
前記レベル集計装置は、複数の居室親機での映像信号レベルを一括表示するためのレベル表示部（５３）を備えたことを特徴とする請求項２記載の集合住宅インターホンシステム。
【請求項４】
前記制御装置は、前記レベル集計装置が集計した複数の居室親機での映像信号レベルに基づいて、全ての居室親機において前記映像信号が出画可能なレベルを与えるレベル調節を行なう変調増幅回路（４５）を備えたことを特徴とする請求項２または請求項３記載の集合住宅インターホンシステム。
【請求項５】
前記制御装置は、前記映像信号レベルを要求する試験映像信号を前記居室親機へ送信する試験信号送出回路（４４）を備え、
前記居室親機は、前記レベル検出回路で前記試験映像信号の試験映像信号レベルを検出し、前記ＣＰＵは検出した試験映像信号レベルを前記伝送路に対して居室番号ＩＤを付して送信し、前記レベル集計装置は、各居室親機から送信された映像信号レベルを受信することを特徴とする請求項２乃至請求項４何れか１項記載の集合住宅インターホンシステム。
【請求項６】
前記居室親機は、前記レベル検出回路で通話信号レベルを検出し、前記ＣＰＵは検出した通話信号レベルを前記伝送路に対して居室番号ＩＤを付して送信し、前記レベル集計装置は、各居室親機から送信された通話信号レベルを受信することを特徴とする請求項２乃至請求項５何れか１項記載の集合住宅インターホンシステム。
【請求項７】
前記居室親機は、前記レベル検出回路でデータ信号レベルを検出し、前記ＣＰＵは検出したデータ信号レベルを前記伝送路に対して居室番号ＩＤを付して送信し、前記レベル集計装置は、各居室親機から送信されたデータ信号レベルを受信することを特徴とする請求項２乃至請求項６何れか１項記載の集合住宅インターホンシステム。
【発明の詳細な説明】
【技術分野】
【０００１】
本発明は、集合住宅インターホンシステムに係り、特に居室外において映像信号等の信号レベルを検出することができる集合住宅インターホンシステムに関する。
【背景技術】
【０００２】
従来から、この種の集合住宅インターホンシステムとして、集合住宅の玄関に設置され訪問者が居住者を呼び出し、訪問者を撮像して映像信号を出力する集合玄関機と、居室に設置され居住者が集合玄関機からの呼び出しに応じて訪問者の映像信号を出画確認して通話をする複数の居室親機と、集合玄関機および複数の居室親機を制御する制御装置とを備えて成るものが知られている（例えば、特許文献１参照）。
【０００３】
ところで、このような構成の集合住宅インターホンシステムにおいては、居室親機での映像信号の到達レベルが規定されているため、施工時や施工後において映像信号のレベル調整を行なう必要がある。
【０００４】
従来、このような映像信号のレベル調整としては、（イ）各居室に設置された居室親機において映像信号レベルを測定し、当該映像信号レベルを居室親機で可変する方法（例えば特許文献２参照）、（ロ）居室親機に接続された伝送路のデータ信号レベルを検出し、検出したデータ信号レベルを管理室親機で表示し、送信データレベルを自動調整する方法が知られている（例えば特許文献１参照）。
【０００５】
【特許文献１】特開平８−２０５１３５号公報（段落番号「００１１」〜「００１４」、図１）
【特許文献２】特開２０００−２８６９８４号公報（段落番号「００２７」〜「００３２」、図１）
【発明の開示】
【発明が解決しようとする課題】
【０００６】
しかしながら、（イ）のような集合住宅インターホンシステムでは、各居室のモニタテレビユニットにそれぞれに装備された可変利得調整器で映像信号レベルを増幅若しくは減衰させるため、幹線の映像信号レベルが低すぎる場合には映像信号レベルを増幅しても画質が荒くなり、また、幹線の映像信号レベルが高すぎる場合には波形が歪んでしまう虞があった。また、（ロ）のような集合住宅インターホンシステムにおいては、受信したデータ信号レベルから送信すべき信号レベルを推測して送信していることから、受信したデータと送信した映像信号の伝送周波数帯が異なっている場合には、伝送線の周波数特性、分岐器、分配器等の経路の影響により受信したデータと送信した映像信号の減衰量が異なることになり、居室親機で必要な信号レベルを正確に把握することができないという難点があった。また、受信したデータと送信した映像信号の伝送周波数帯が同一である場合にも、信号の方向が反転していることから、正確に減衰量を特定できないという難点があった。
【０００７】
本発明は、このような難点を解決するためになされたもので、居室親機に、信号レベルを検出するレベル検出回路と、検出した映像信号レベルを伝送路に対して居室番号ＩＤを付して送信するＣＰＵとを搭載することで、制御装置やレベル集計装置において、居室親機での正確な信号レベルを一元的に把握し、施工時や施工後における配線の妥当性や増幅レベルの妥当性を容易に確認することができる集合住宅インターホンシステムを提供することを目的としている。
【課題を解決するための手段】
【０００８】
本発明は上述の難点を解消するためになされたもので、本発明の第１の態様である集合住宅インターホンシステムは、集合住宅の玄関に設置され訪問者が居住者を呼び出し、訪問者を撮像して映像信号を出力する集合玄関機と、居室に設置され、集合玄関機に伝送路を経由して接続され、居住者が集合玄関機からの呼出に応じて訪問者の映像信号を出画確認して通話をする複数の居室親機と、呼出、通話のデータ信号、通話信号および／または映像信号を変調して伝送するにあたり集合玄関機および複数の居室親機を制御する制御装置とを備え、居室親機は、映像信号レベルを検出するレベル検出回路と、検出した映像信号レベルを伝送路に対して居室番号ＩＤを付して制御装置へ送信するＣＰＵとを備えたものである。
【０００９】
本発明の第２の態様は、第１の態様である集合住宅インターホンシステムにおいて、各居室から送信され制御装置で受信された映像信号レベルを集計するレベル集計装置を備えたものである。
【００１０】
本発明の第３の態様は、第２の態様である集合住宅インターホンシステムにおいて、レベル集計装置は、複数の居室親機での映像信号レベルを一括表示するためのレベル表示部を備えたものである。
【００１１】
本発明の第４の態様は、第２の態様または第３の態様である集合住宅インターホンシステムにおいて、制御装置は、レベル集計装置が集計した複数の居室親機での映像信号レベルに基づいて、全ての居室親機において映像信号が出画可能なレベルを与えるレベル調節を行なう変調増幅回路を備えたものである。
【００１２】
本発明の第５の態様は、第２の態様乃至第４の態様の何れかの態様である集合住宅インターホンシステムにおいて、制御装置は、映像信号レベルを要求する試験映像信号を居室親機へ送信する試験信号送出回路を備え、居室親機は、レベル検出回路で試験映像信号の試験映像信号レベルを検出し、ＣＰＵは検出した試験映像信号レベルを伝送路に対して居室番号ＩＤを付して送信し、レベル集計装置は、各居室親機から送信された映像信号レベルを受信するものである。
【００１３】
本発明の第６の態様は、第２の態様乃至第５の態様の何れかの態様である集合住宅インターホンシステムにおいて、居室親機は、レベル検出回路で通話信号レベルを検出し、ＣＰＵは検出した通話信号レベルを伝送路に対して居室番号ＩＤを付して送信し、レベル集計装置は、各居室親機から送信された通話信号レベルを受信するものである。
【００１４】
本発明の第７の態様は、第２の態様乃至第６の態様の何れかの態様である集合住宅インターホンシステムにおいて、居室親機は、レベル検出回路でデータ信号レベルを検出し、ＣＰＵは検出したデータ信号レベルを伝送路に対して居室番号ＩＤを付して送信し、レベル集計装置は、各居室親機から送信されたデータ信号レベルを受信するものである。
【発明の効果】
【００１５】
以上の説明から明らかなように、本発明の第１の態様乃至第７の態様の集合住宅インターホンシステムによれば、次のような効果がある。
【００１６】
第１に、居室親機に、映像信号レベルを検出するレベル検出回路と、検出した映像信号レベルを伝送路に対して居室番号ＩＤを付して送信するＣＰＵとを搭載することで、共用部において、居室親機での正確な信号レベルを確認することができ、また、施工時や施工後において配線の妥当性や増幅レベルの妥当性を容易に確認することができ、必要がある場合には迅速に信号レベルを調整することができる。
【００１７】
第２に、制御装置にレベル集計装置を接続することで、全ての居室親機での映像信号レベルを集計することができる。
【００１８】
第３に、レベル集計装置にレベル表示部を搭載することで、全ての居室親機での正確な信号レベルを一括して確認することができ、配線不良や中間増幅器の出力不足などを確認することができる。
【００１９】
第４に、制御装置に変調増幅回路を搭載することで、居室毎にレベル調整が可能となり、居室毎に適切なレベルを出力させることができる。
【００２０】
第５に、制御装置に試験信号送出回路を搭載することで、各居室親機での映像信号レベルを一度に受信することができ、ひいては時間や気候に制約されずに適正な映像信号レベルを得ることができる。
【発明を実施するための最良の形態】
【００２１】
以下、本発明の集合住宅インターホンシステムを適用した好ましい実施の形態例について、図面を参照して詳述する。
［実施例１］
図１は、本発明の第１の実施例における集合住宅インターホンシステムのシステム構成図、図２は、同実施例における居室親機のブロック図、図３は、同実施例における制御装置、集合玄関機およびレベル集計装置のブロック図を示している。
【００２２】
図１において、本発明の集合住宅インターホンシステムは、集合住宅の玄関に設置され訪問者が居住者を呼び出し、訪問者を撮像して映像信号を出力する集合玄関機１と、居室に設置され居住者が集合玄関機からの呼出に応じて訪問者の映像信号を出画確認して通話をする複数の居室親機２、２、・・・と、呼出、通話のデータ信号、通話信号および／または映像信号を変調して伝送するにあたり、集合玄関機および複数の居室親機を制御する制御装置４と、制御装置４の近傍に設置され各居室から送信され制御装置で受信された映像信号レベルを集計するレベル集計装置５と、管理室等に設置される管理室親機６と、各居室の近傍にそれぞれ設置される分岐・分配器(以下「居室側分岐・分配器」という。)７と、後述する伝送路に沿って所定の間隔をおいて設置される分岐・分配器(以下「伝送路側分岐・分配器」という。)８および伝送信号増幅器９とを備えている。ここで、制御装置４は第１の伝送路Ｌ１を介して集合玄関機１に、第２の伝送路Ｌ２を介して複数の伝送路側分岐・分配器８に、第３の伝送路Ｌ３を介してレベル集計装置５に、第４の伝送路Ｌ４を介して管理室親機６にそれぞれ接続され、各伝送路側分岐・分配器８にはそれぞれ居室側分岐・分配器７を介して居室親機２若しくは他の分岐・分配器（不図示）が接続されている。また、隣接する伝送路側分岐・分配器８間には伝送信号増幅器９が接続されている。
【００２３】
複数の居室親機２、２、・・・は、それぞれ同様の構成とされ、それぞれ、図２に示すように、親機インターフェイース（以下「Ｉ／Ｆ」という。）２１、親機信号処理回路２２、モニタ２３、ＣＰＵ(以下「親機ＣＰＵ」という。)２４、レベル検出回路２５、通話回路２６、送受器２７およびＩＤ設定回路２８を備えている。ここで、親機Ｉ／Ｆ２１は、親機信号処理回路２２、親機ＣＰＵ２４、レベル検出回路２５および通話回路２６に接続され、親機ＣＰＵ２４には親機信号処理回路２２、モニタ２３、レベル検出回路２５、通話回路２６およびＩＤ設定回路２８が接続され、通話回路２６には送受器２７が接続されている。
【００２４】
集合玄関機１は、図３に示すように、訪問者を撮像するためのカメラ１１、タッチパネルやテンキーなどから成る呼出操作部１２、呼出ボタン１３、マイク１４およびスピーカ１５の各部を備えている。
【００２５】
制御装置４は、図３に示すように、第１〜第４の制御装置Ｉ／Ｆ４１ａ〜４１ｄ、ＣＰＵ（以下「制御装置ＣＰＵ」という。）４２、制御装置信号処理回路４３および試験信号送出回路４４を備えている。ここで、制御装置ＣＰＵ４２は、第１〜第４の制御装置Ｉ／Ｆ４１ａ〜４１ｄ、制御装置信号処理回路４３および試験信号送出回路４４に接続され、第１の制御装置Ｉ／Ｆ４１ａには第２の伝送路Ｌ２、第２の制御装置Ｉ／Ｆ４１ｂおよび試験信号送出回路４４が、第２の制御装置Ｉ／Ｆ４１ｂには第３の伝送路Ｌ３が、第３の制御装置Ｉ／Ｆ４１ｃには第４の伝送路Ｌ４が、第４の制御装置Ｉ／Ｆ４１ｄには制御装置信号処理回路４３および第１の伝送路Ｌ１がそれぞれ接続されている。
【００２６】
レベル集計装置５は、図３に示すように、集計装置Ｉ／Ｆ５１、ＣＰＵ(以下「集計装置ＣＰＵ」という。)５２および集計装置表示部５３を備えている。ここで、集計装置ＣＰＵ５２は集計装置Ｉ／Ｆ５１、集計装置表示部５３に接続され、集計装置Ｉ／Ｆ５１には第３の伝送路Ｌ３が接続されている。
【００２７】
次に、このように構成された本発明の集合住宅インターホンシステムの動作について説明する。なお、（１）訪問者が例えばＡ棟のある居室(以下「第１の居室」という。)内の居住者(以下「第１の居住者」という。)を呼び出すために、集合玄関機１の呼出操作部１２で第１の居室内に設置された居室親機（以下「第１の居室親機」という。）２に予め割り当てられている居室番号（以下「第１の居室番号」という。）を選択し、呼出ボタン１３を押下すると、第１の居室番号を含有する呼出信号が第１の伝送路Ｌ１、制御装置４、第２の伝送路Ｌ２、第１の居室親機２に対応する伝送路側分岐・分岐器(以下「第１の伝送路側分岐・分岐器」という。)８および居室側分岐・分岐器(以下「第１の居室側分岐・分岐器」という。)７を介して第１の居室親機２へ伝送され、これにより、第１の居室親機２のスピーカ（不図示）から呼出音が放音され第１の居住者に対して訪問者からの呼び出しが報知される点、（２）訪問者からの呼び出しを確認した第１の居住者が送受器２７を取り上げて応答操作を行なうと、第１の伝送路Ｌ１、制御装置４、第２の伝送路Ｌ２、第１の伝送路側分岐・分岐器８および第１の居室側分岐・分岐器７を介して第１の居室親機２の通話機能と集合玄関機１の通話機能との間に通話ラインが形成され、この通話ラインを介して音声信号を送受信させることができる点、（３）カメラ１１で撮像された訪問者の映像は、信号処理され第１の伝送路Ｌ１、第４の制御装置Ｉ／Ｆ４１ｄ、制御装置信号処理回路４３、制御装置ＣＰＵ４２、第１の制御装置Ｉ／Ｆ４１ａ、第２の伝送路Ｌ２、第１の伝送路側分岐・分岐器８および第１の居室側分岐・分岐器７を介して第１の居室親機２の親機Ｉ／Ｆ（以下「第１の親機Ｉ／Ｆ」という。）２１、親機映像信号処理回路２２を介してモニタ（以下「第１のモニタ」という。）２３へ伝送され、これにより、第１のモニタ２３に訪問者の映像が出画される点は、従来の集合住宅インターホンシステムと同様であることから、詳細な説明を省略し、ここでは、第１の居室親機２で受信した映像信号の信号レベルを制御装置４やレベル集計装置５で確認する動作を中心にして説明する。
【００２８】
先ず、カメラ１１で撮像された訪問者の映像は、前述の映像信号と同様の経路を経由して第１の親機Ｉ／Ｆ２１へ伝送され、第１の親機Ｉ／Ｆ２１を経由して第１の親機のレベル検出回路（以下「第１のレベル検出回路」という。）２５へ伝送され、第１のレベル検出回路２５において、映像信号のレベルが検出される。
【００２９】
検出された映像信号のレベルは、親機ＣＰＵ２４の制御によりＩＤ設定回路２８において第１の居室番号の居室番号ＩＤ（以下「第１の居室番号ＩＤ」という。）が付され、第１の居室番号ＩＤが付された映像信号レベルは、第１の親機Ｉ／Ｆ２１、第１の居室側分岐・分岐器７、第１の伝送路側分岐・分岐器８、第２の伝送路Ｌ２および第１の制御装置Ｉ／Ｆ４１ａを介して制御装置ＣＰＵ４２へ伝送され、制御装置ＣＰＵ４２から第３の制御装置Ｉ／Ｆ４１ｃおよび第４の伝送路Ｌ４を介して管理室親機６へ、または第４の制御装置Ｉ／Ｆ４１ｄおよび第１の伝送路Ｌ１を介して集合玄関機１へ伝送される。
【００３０】
以上より、この実施例においては、管理室親機６または集合玄関機の表示部において、居室親機での正確な信号レベルを確認することができる。
【００３１】
次に、本発明の集合住宅インターホンシステムの付加機能について説明する。
【００３２】
第１に、制御装置４にレベル集計装置５を接続した場合には、次のようにして、受信された映像信号レベルをレベル集計装置５に集計させることができる。
【００３３】
すなわち、制御装置４で受信した前述の第１の居室親機２に係る映像信号レベルは、制御装置ＣＰＵ４２の制御により、第２の制御装置Ｉ／Ｆ４１ｂ、第３の伝送路Ｌ３、集計装置Ｉ／Ｆ５１および集計装置ＣＰＵ５２を介して集計装置表示部５３へ伝送される。
【００３４】
同様にして、他の居室親機２のレベル検出回路２５で検出された映像信号レベルも、前述の第１の居室親機２に係る映像信号レベルと同様に、他の居室親機の居室番号ＩＤが付されて集計装置表示部５３へ伝送される。
【００３５】
以上より、この実施例においては、全ての居室親機での映像信号レベルをレベル集計装置５に集計させることができる。
【００３６】
第２に、レベル集計装置５に集計装置表示部５３を搭載した場合には、集計装置表示部５３において、全ての居室親機２での映像信号レベルを一覧表示させることで、配線不良や中間増幅器の出力不足などを確認することができる。すなわち、施工時や施工後において、全ての居室親機での映像信号レベルを一覧表示させることで、複数の居室親機での映像信号レベルが低い場合には、伝送路の施工ミスや中間増幅器の不良等を確認することができ、また、特定の居室親機の映像信号レベルが低い場合には、当該居室親機の居室配線の施工ミスや当該居室親機の製品不良を確認することができる。
【００３７】
第３に、制御装置５に、試験映像信号を各居室親機２へ送信する試験信号送出回路４４を搭載した場合には、次のようにして、レベル集計装置５で各居室親機２から送信された映像信号レベルを受信することができる。すなわち、制御装置ＣＰＵ４２の制御により、試験信号送出回路４４から映像信号レベルを要求する試験映像信号が出力され、当該試験映像信号が第２の伝送路Ｌ２、伝送路側分岐・分配器８および居室側分岐・分配器７を介して各居室親機２に対して送信される。各居室親機２へ送信された試験映像信号は、各居室親機２のレベル検出回路２５において、前述の映像信号と同様にして、試験映像信号の試験映像信号レベルが検出され、また、各親機ＣＰＵ２４の制御により、検出した試験映像信号レベルに各居室番号ＩＤが付され、前述の映像信号レベルと同様の経路を経由してレベル集計装置５へ送信される。
【００３８】
この実施例においては、各居室親機での映像信号レベルを一度に受信することができるため、時間や気候によるばらつきを考慮することなく適正な映像信号レベルを得ることができる。
［実施例２］
図４は、本発明の第２の実施例における集合住宅インターホンシステムの制御装置、集合玄関機およびレベル集計装置のブロック図を示している。なお、同図において、図３と共通する部分には同一の符号を付して詳細な説明を省略する。
【００３９】
この実施例においては、図３に示す第１の制御装置Ｉ／Ｆ４１ａに変調増幅回路４５が搭載されている。
【００４０】
この実施例では、前述の実施例と同様に、集合玄関機１のカメラ１１で撮影された画像の映像信号レベルがレベル検出回路２５で検出され、検出された映像信号レベルは親機ＣＰＵ２４の制御により居室番号ＩＤが付されてレベル集計装置５へ送信される。
【００４１】
受信した映像信号レベルは、レベル集計装置５において通常必要とする映像信号レベルと比較され、受信した映像信号レベルが通常必要とする映像信号レベルと比較して小さい場合には、集計装置ＣＰＵ５２から増幅指示信号が出力され、この増幅指示信号が集計装置Ｉ／Ｆ５１、第３の伝送路Ｌ３および第２の制御装置Ｉ／Ｆ４１ｂを介して変調増幅回路４５へ伝送される。これにより、変調増幅回路４５により、各居室親機２に対する映像信号の増幅度が大きく設定される。
【００４２】
一方、受信した映像信号レベルが通常必要とする映像信号レベルと比較して大きい場合には、集計装置ＣＰＵ５２から減衰指示信号が出力され、この減衰指示信号が前述の増幅指示信号と同様の経路を経由して変調増幅回路４５へ伝送される。これにより、変調増幅回路４５により、各居室親機２に対する映像信号の増幅度が小さく設定される。
【００４３】
この実施例においては、変調増幅回路４５において、レベル集計装置が集計した複数の居室親機での映像信号レベルに基づいて、全ての居室親機において映像信号が出画可能なレベルを与えるレベル調節を行なうことができることから、居室毎にレベル調整ができるようになり、居室毎に適切なレベルの映像信号を出力することができる。
【００４４】
なお、第２の実施例においても、第１の実施例と同様に、制御装置４にレベル集計装置５を接続した場合には、受信された映像信号レベルをレベル集計装置５に集計させることができ、また、レベル集計装置５に集計装置表示部５３を搭載した場合には、集計装置表示部５３において、全ての居室親機２での映像信号レベルを一覧表示させることで、配線不良や中間増幅器の出力不足などを確認することができ、さらに、制御装置５に試験映像信号を各居室親機２へ送信する試験信号送出回路４４を搭載した場合には、各居室親機での映像信号レベルを一度に受信することができ、ひいては、時間や気候によるばらつきを考慮することなく適正な映像信号レベルを得ることができる。
【産業上の利用可能性】
【００４５】
本発明は、特許請求の範囲内で、次のように、変更、修正を加えることができる。
【００４６】
第１に、前述の実施例においては、制御装置とレベル集計装置を別体で構成した場合について述べているが、両装置は一体型で構成してもよい。
【００４７】
第２に、前述の実施例においては、制御装置にレベル集計装置を接続した場合について述べているが、レベル集計装置は管理室親機６に接続するか、管理室親機と一体型で構成してもよい。
【００４８】
第３に、前述の実施例においては、映像信号レベルを検出する場合について述べているが、レベル検出回路で通話信号レベルやデータ信号レベルを検出し、映像信号レベルと同様に、検出した通話信号レベルやデータ信号レベルに居室番号ＩＤを付してレベル集計装置へ送信するようにしてもよい。
【図面の簡単な説明】
【００４９】
【図１】本発明の第１の実施例における集合住宅インターホンシステムのシステム構成図。
【図２】本発明の第１の実施例における居室親機のブロック図。
【図３】本発明の第１の実施例における制御装置、集合玄関機およびレベル集計装置のブロック図。
【図４】本発明の第２の実施例における制御装置、集合玄関機およびレベル集計装置のブロック図。
【符号の説明】
【００５０】
１・・・集合玄関機
２・・・居室親機
２５・・・レベル検出回路
２４・・・ＣＰＵ（親機ＣＰＵ）
４・・・制御装置
４５・・・変調増幅回路
４８・・・試験信号送出回路
５・・・レベル集計装置
５３・・・レベル表示部
Ｌ１、Ｌ２・・・伝送路
【図１】
2006279789.tif 000003
【図２】
2006279789.tif 000004
【図３】
2006279789.tif 000005
【図４】
2006279789.tif 000006